(57)【要約】【課題】植栽シートの温度変化を小さくする。【解決手段】植栽マット１０は、植栽シート１２、１４と、植栽シート１４の表面側に積層された断熱シート１６と、断熱シート１６の表面側に積層された防水シート１８と、を備えている。【選択図】図１
2018191585.tif 000002
【特許請求の範囲】
【請求項１】
一枚又は複数枚の植栽シートと、
前記植栽シートの表面側に積層された断熱シートと、
前記断熱シートの表面側に積層された防水シートと、
を備えた植栽マット。
【請求項２】
請求項１の植栽マットが防水シートを外側にして巻かれた柱と、
前記柱の上端部に設けられ、前記植栽マットの少なくとも前記植栽シートの上端部が挿入され、植物が植栽される箱部材と、
前記箱部材に潅水する潅水装置と、
を備えた緑化構造体。
【請求項３】
前記植栽マットには、切れ目が入れられ、前記切れ目の下側の部位が引き出され、植物が植栽される収容部が形成されている、
請求項２に記載の緑化構造体。
【請求項４】
請求項１の植栽マットを、前記防水シートが外側になるように箱状に組み立てられた植栽容器。
【請求項５】
容器側面を構成する前記植栽マットには、切れ目が入れられ、前記切れ目の下側の部位が引き出され、植物が植栽される収容部が形成されている、
請求項４に記載の植栽容器。
【発明の詳細な説明】
【技術分野】
【０００１】
本発明は、植栽マット、緑化構造体及び植栽容器に関する。
【背景技術】
【０００２】
特許文献１には、道路の遮音壁や駐車場の壁面パネルなどのような構造体の壁面を緑化する壁面緑化ユニットに関する技術が開示されている。この先行技術では、壁面に取り付けられる基板と、該基板の表面側に配置される断熱層と、断熱層の表面側に配置される植栽マットと、を有している。
【０００３】
特許文献２には、建造物の屋根などに敷設される外断熱パネル構造に関する技術が開示されている。この先行技術では、屋根の上に防水機能層を介して外断熱防根パネルを設け、この外断熱防根パネルの上に植栽基盤を設けている。
【０００４】
ここで、植物の根の健全な生育には、根に水と空気が十分に供給されることに加え、温度の変動を小さくすることが望ましい。しかし、植栽マット又は植栽基盤は、外気温や日光等によって温度変化が大きくなると、植物が生育不良となる虞がある。
【先行技術文献】
【特許文献】
【０００５】
【特許文献１】特開２００６−２４６８１６号公報
【特許文献２】登録実用３１３４２５３号
【発明の概要】
【発明が解決しようとする課題】
【０００６】
本発明は、上記事実に鑑み、植栽シートの温度変化を小さくすることが目的である。
【課題を解決するための手段】
【０００７】
請求項１の発明は、一枚又は複数枚の植栽シートと、前記植栽シートの表面側に積層された断熱シートと、前記断熱シートの表面側に積層された防水シートと、を備えた植栽マットである。
【０００８】
請求項１に記載の発明では、植栽マットは、防水シートによって植栽シートの乾燥が抑制され、断熱シートによって植栽シートの温度変化が抑制される。したがって、乾燥や大きな温度変化による植物の生育不良が抑制される。
【０００９】
請求項２の発明は、請求項１の植栽マットが防水シートを外側にして巻かれた柱と、前記柱の上端部に設けられ、前記植栽マットの少なくとも前記植栽シートの上端部が挿入され、植物が植栽される箱部材と、前記箱部材に潅水する潅水装置と、を備えた緑化構造体である。
【００１０】
請求項２に記載の発明では、潅水装置によって箱部材に潅水される。潅水した水は、植栽マットの植栽シートに浸透する。よって、箱部材に植栽された植物は、植栽マットの植栽シートに根を張る。根が張った植栽シートは、防水シートによって乾燥が抑制され、断熱シートによって温度変化が抑制されている。よって、箱部材に植栽された植物は、根を長く張れると共に植栽シートに張った根の生長が促進される。したがって、箱部材に植栽された植物の生育が促進する。
【００１１】
請求項３の発明は、前記植栽マットには、切れ目が入れられ、前記切れ目の下側の部位が引き出され、植物が植栽される収容部が形成されている、請求項２に記載の緑化構造体である。
【００１２】
請求項３に記載の発明では、柱に巻かれた植栽マットに収容部を形成し、この収容部に植物を植栽することで、柱も緑化される。
【００１３】
請求項４の発明は、請求項１の植栽マットを、前記防水シートが外側になるように箱状に組み立てられた植栽容器である。
【００１４】
請求項４に記載の発明では、植栽容器を構成する植栽マットは、防水シートによって植栽シートの乾燥が抑制され、断熱シートによって植栽シートの温度変化が抑制される。よって、植栽容器内に詰められた土等の乾燥が抑制されると共に温度変化が抑制される。したがって、植栽容器に植栽された植物の乾燥や温度変化による生育不良が抑制される。
【００１５】
請求項５の発明は、容器側面を構成する前記植栽マットには、切れ目が入れられ、前記切れ目の下側の部位が引き出され、植物が植栽される収容部が形成されている、請求項４に記載の植栽容器である。
【００１６】
請求項５に記載の発明では、植栽容器の容器側面に収容部を形成し、この収容部に植物を植栽することで、植栽容器全体が緑化される。
【発明の効果】
【００１７】
本発明によれば、植栽シートの温度変化を小さくすることができる。
【図面の簡単な説明】
【００１８】
【図１】植栽マットを示す、（Ａ）は各シートが重ねられて一体化する前の分解斜視図であり、（Ｂ）は各シートが重ねられて一体化した状態の端面図である。
【図２】パーゴラの斜視図である。
【図３】図２のパーゴラの要部のＸ方向に沿った拡大断面図である。
【図４】収容部を形成する工程を（Ａ）〜（Ｃ）へと順番に示す斜視図である。
【図５】植栽容器の斜視図である。
【図６】図５の植栽容器に植物を植栽した状態の斜視図である。
【図７】植栽容器の別の形状の例を示す図５に対応する斜視図である。
【図８】潅水装置を示すブロック図である。
【発明を実施するための形態】
【００１９】
＜第一実施形態＞
本発明の第一実施形態の緑化構造体の一例としてのパーゴラについて説明する。
［構造］
第一実施形態のパーゴラの構造について説明する。
（植栽マット）
先ず、植栽マットの構造について説明する。
【００２０】
図１に示すように、植栽マット１０は、二枚の植栽シート１２及び植栽シート１４と、植栽シート１４の表面側に積層された断熱シート１６と、断熱シート１６の表面側に積層された防水シート１８と、を有している。なお、「表面側」とは、植栽マット１０を使用する際は、防水シート１８が表面となるので、面外方向における防水シート１８側の面のことである。
【００２１】
植栽シート１２及び植栽シート１４は、保水性及び吸水性の高い材料（フェルト、不織布、ウレタン、スポンジ、ヤシ繊維等）で構成された多孔質体をシート状（厚さ５ｍｍ〜３０ｍｍ程度）に加工したものである。
【００２２】
断熱シート１６は、エアパッキンやプラスチックダンボールなどの断熱効果のある素材をシート状（厚さ１．０〜５．０ｍｍ程度）に加工したものである。なお、本実施形態では、断熱シート１６は、エアパッキンを用いている。
【００２３】
防水シート１８は、ゴムやビニール等の水分蒸発防止機能を有する材料をシート状（０．５ｍｍ〜１．５ｍｍ程度）に加工したものである。なお、本実施形態では、水分蒸発防止機能に加え、遮熱性や不燃性を有すると共に耐候性に優れた加硫ゴム系の黒色のゴムシートを使用した。また、伸縮性のゴムシートは、植え付ける植物の苗木の根３２を保水性及び吸水性の高い植栽シート１２、１４に密着させる働きを有する。よって、防水シート１８に、伸縮性のゴムシートを用いることは、活着率を高める極めて有効な方法となっている。
【００２４】
これら二枚の植栽シート１２、１４、断熱シート１６及び防水シート１８は、接着、熱溶着及び縫い合わせ等で一体化され、植栽マット１０となっている。
【００２５】
（緑化構造体）
次に、植栽マット１０を利用した緑化構造体の一例としてのパーゴラ１００について説明する。なお、鉛直方向をＺ方向とし、左右方向をＸ方向とし、Ｚ方向とＸ方向とに直交する方向をＹ方向とする。
【００２６】
図３に示すように、パーゴラ１００（図２も参照）は、柱の一例としての支柱本体１２０及び棚部１１４を有するパーゴラ本体１１０と、パーゴラ本体１１０の支柱本体１２０に巻き付けられた植栽マット１０（図１も参照）と、箱部材の一例としてのプランター１５０と、潅水装置２００（図８も参照）と、を含んで構成されている。なお、支柱本体１２０（図３参照）は、水平断面が矩形状の鋼管で構成されている。また、支柱本体１２０に植栽マット１０が巻き付けられた状態を支柱１１２（図２も参照）とする。
【００２７】
図２に示すように、支柱１１２は地盤５０上にＹ方向に並んだ列がＸ方向に間隔をあけて設けられている。そして、これら各支柱１１２間に棚部１１４が掛け渡されている。なお、支柱１１２が並ぶ方向（列方向）はＹ方向である。
【００２８】
図２及び図３に示すように、植栽マット１０は、帯状に加工され、支柱本体１２０（図３参照）に螺旋状に巻き付けられている。植栽マット１０の植栽シート１２（図１及び図３参照）は、支柱本体１２０（図３参照）に両面テープや接着剤等で接合されている。なお、支柱本体１２０（図３参照）が樹脂や木製の場合は、タッカー等で植栽マット１０を支柱本体１２０（図３参照）に接合してもよい。
【００２９】
そして、支柱本体１２０（図３参照）に巻き付けて接合した植栽マット１０は、更に防水シート１８の外側から鋼製バンドや耐候性結束バンド等のバンド１２２を巻き付けて固定されている。
【００３０】
また、支柱１１２の上には、プランター１５０がＹ方向に沿って設けられている。
【００３１】
図３に示すようにプランター１５０の底部１５２には、貫通孔１５４が形成されている。そして、支柱本体１２０に巻き付けられた植栽マット１０の植栽シート１２、１４の上端部１２Ａ，１４Ａが貫通孔１５４からプランター１５０内に挿入されている。プランター１５０には、培養土などの土１５６が詰められ、植物３０が植栽されている。プランター１５０に植栽された植物３０は、棚部１１４に延び絡み付いている（図２も参照）。
【００３２】
図８に示すように、潅水装置２００は、外周面２０２Ａに複数の孔２０４が形成された筒状のホース２０２と、ポンプ２１０と、ホース２０２とポンプ２１０とを繋ぐチューブ２１２と、ポンプ２１０に電気的に接続されポンプ２１０を制御する制御部２１４と、を有している。
【００３３】
図２及び図３に示すように、潅水装置２００のホース２０２は、プランター１５０上にＹ方向に沿って配置されている。
【００３４】
図８に示す制御部２１４は、定期的に予め定めた量の水がホース２０２に供給されるように、ポンプ２１０を制御する。そして、ホース２０２に水が供給されると、各孔２０４から水が吐出し、図２及び図３に示すプランター１５０に灌水される。なお、本実施形態では、肥料入りの水を吐出（灌水）させている（液肥潅水）。
【００３５】
図３に示すように、パーゴラ１００の支柱本体１２０に巻き付けられた植栽マット１０には、上部が開口した収容部２０が形成されている（図４（Ｃ）も参照）。そして、この収容部２０に植物３０が植栽されている。なお、収容部２０は、防水シート１８、断熱シート１６及び植栽シート１４で構成されている。
【００３６】
（収容部の形成方法）
次に、収容部２０の形成方法の一例について、図４を用いて説明する。
【００３７】
図４（Ａ）に示すように、パーゴラ１００の支柱本体１２０に巻き付けられた植栽マット１０に水平方向の切れ目２２を入れる。図４（Ｂ）に示すように、切れ目２２の下側の部位を引き出し、図４（Ｃ）に示すように、上部が開口した収容部２０を形成する。
【００３８】
なお、切れ目２２は、支柱本体１２０に巻き付ける前に、予め植栽マット１０に入れておいてもよい。この場合、植栽マット１０は支柱本体１２０に螺旋状に巻き付けるので、切れ目２２は斜めに入れておく。
【００３９】
［作用及び効果］
次に、本実施形態の作用及び効果について説明する。
【００４０】
植栽マット１０は、防水シート１８によって植栽シート１２、１４の乾燥が抑制され、断熱シート１６によって植栽シート１２、１４の温度変化が抑制される。
【００４１】
潅水装置２００によってプランター１５０に詰められた土１５６に潅水される。潅水した水は、プランター１５０に上端部１２Ａ，１４Ａが挿入された植栽シート１２、１４に浸透する。プランター１５０に植栽された植物３０は、プランター１５０の土１５６及び植栽マット１０の植栽シート１２、１４に根３２を張る。
【００４２】
根３２が張った植栽シート１２、１４は、防水シート１８によって乾燥が抑制され、断熱シート１６によって温度変化が抑制されている。よって、プランター１５０に植栽された植物３０は、根３２を長く張れると共に植栽シート１２、１４に張った根３２の生長が促進される。したがって、プランター１５０に植栽された植物３０の生育が促進する。
【００４３】
そして、このようにプランター１５０に植栽された植物３０の生育が促進されるので、植物３０はパーゴラ１００の棚部１１４に伸びて絡み付き、棚部１１４の緑化が促進される。
【００４４】
また、パーゴラ１００の支柱１１２の植栽マット１０に収容部２０を形成し、この収容部２０に植物３０を植栽することで、支柱１１２が緑化される。収容部２０に植栽された植物３０は、植栽シート１２、１４に根３２を張る。
【００４５】
前述したように、根３２が張った植栽シート１２、１４は、防水シート１８によって乾燥が抑制され、断熱シート１６によって温度変化が抑制されている。よって、収容部２０に植栽された植物３０は、根３２を長く張れると共に植栽シート１２、１４に張った根３２の生長が促進される。したがって、収容部２０に植栽された植物３０の生育が促進する。
【００４６】
なお、本実施形態では、防水シート１８は黒色であるので、太陽光によって高温になる。しかし、断熱シート１６によって、植栽シート１２、１４への熱の伝導が抑制される。よって、防水シート１８が黒色のため高温になっても植栽シート１２、１４の温度上昇が抑制される。
【００４７】
ここで、一般的に植物は、動かないものの方が根を良く張ることが判っている。本実施形態では、植栽マット１０の植栽シート１２を支柱本体１２０に両面テープや接着剤等で接合し、更に、防水シート１８の外側から鋼製バンドや耐候性結束バンド等のバンド１２２を巻き付けて固定されている。このように、植物３０が根３２を張る植栽マット１０の植栽シート１２、１４は、支柱本体１２０にしっかりと固定され、ズレないので（植栽シート１２、１４は動かないので）、植物３０の生育に好適である。
【００４８】
＜第二実施形態＞
本発明の第二実施形態の植栽容器について説明する。
［構造］
第二実施形態の植栽容器３００の構造について説明する。
【００４９】
図５及び図６に示すように、植栽容器３００は、植栽マット１０（図１参照）を防水シート１８が外側になるように箱状に組み立てられて構成されたプランターである。なお、植栽マット１０は第一実施形態と同様の構造であるので、説明は省略する。
【００５０】
図６に示すように、植栽容器３００には、培養土などの土１５６が詰められ、植物３０が植栽されている。
【００５１】
図５及び図６に示すように、植栽容器３００の容器側面３０２には、水平方向に切れ目２２が入れられ、切れ目２２の下側の部位が引き出され収容部２０（図６参照）が形成されている。そして、図６に示すように、収容部２０に、植物３０が植栽されている。
【００５２】
なお、収容部２０の形成方法の詳細は、第一実施形態と同様（図４参照）であるので、説明を省略する。
【００５３】
また、植栽容器３００に詰められた土１５６への潅水は、どのような方法であってもよい。人が適宜潅水してもよいし、自動的に潅水する既存の潅水システムを用いてもよいし、第一実施形態の潅水装置２００（図８参照）を用いてもよい。
【００５４】
［作用及び効果］
次に、本実施形態の作用及び効果について説明する。
【００５５】
植栽容器３００に植栽された植物３０は、土１５６に根を張ると共に、植栽マット１０の植栽シート１２、１４にも根を張る。また、植栽容器３００の容器側面３０２の収容部２０に植栽された植物３０は、植栽シート１２、１４に根を張り、更に土１５６にも根が伸びて根を張る。
【００５６】
植栽容器３００を構成する植栽マット１０は、防水シート１８によって植栽シート１２、１４の乾燥が抑制され、断熱シート１６によって植栽シート１２、１４の温度変化が抑制される。よって、植栽容器３００内に詰められた土１５６の乾燥が抑制されると共に温度変化が抑制される。また、植栽シート１２、１４に張った根が保護される。
【００５７】
したがって、植栽容器３００に植栽された植物３０の乾燥や温度変化による生育不良が抑制される。
【００５８】
また、植栽容器３００の容器側面３０２に収容部２０を形成し、この収容部２０に植物３０を植栽することで、植栽容器３００全体が緑化される。
【００５９】
なお、植栽容器３００の形状は箱形状に限定されない。土１５６等が詰められる形状であればよい。例えば、図７に示す植栽容器４００のように、円筒形の一部が切りかかれ開口部４０４が形成された形状であってもよい。この植栽容器４００も容器側面４０２に切れ目２２を入れて収容部２０（図７及び図４（Ｃ）を参照）を形成してもよい。
【００６０】
＜その他＞
尚、本発明は上記実施形態に限定されない。
【００６１】
例えば、上記第一実施形態では、支柱本体１２０に直接植栽マット１０を螺旋状に巻き付けたが、これに限定されない。支柱本体１２０と植栽マット１０との間に下地ボードを挟んでもよい。この場合、下地ボードを支柱本体１２０に両面テープや接着剤で接合し、この下地ボードにタッカー等で植栽マット１０を接合してもよい。なお、支柱本体１２０と植栽マット１０との間に下地ボードを挟むことで、支柱本体１２０と植栽マット１０との間の熱の伝達が抑制され、植栽マット１０の植栽シート１２、１４の温度変化が更に抑制される。
【００６２】
また、例えば、上記第一実施形態では、二枚の植栽シート１２、１４、断熱シート１６及び防水シート１８が、接着、熱溶着及び縫い合わせ等で一体化された植栽マット１０を、支柱本体１２０に螺旋状に巻き付けたが、これに限定されない。一体化せずに、二枚の植栽シート１２、１４、断熱シート１６及び防水シート１８をそれぞれ順番に支柱本体１２０に螺旋状に巻き付けてもよい。この場合は、各シートの巻き方向を互いに逆方向になるように、巻いてもよい。
【００６３】
また、上記第一実施形態のプランター１５０に、上記第二実施形態の植栽容器３００を用いてもよい。
【００６４】
また、例えば、上記実施形態では、植栽マット１０は、二枚の植栽シート１２及び植栽シート１４が重ねられていたが、これに限定されない。一枚又は三枚以上の植栽シートが重ねられていてもよい。
【００６５】
更に、本発明の要旨を逸脱しない範囲において種々なる態様で実施し得る。
【符号の説明】
【００６６】
１０      植栽マット
１２      植栽シート
１４      植栽シート
１６      断熱シート
１８      防水シート
２０      収容部
２２      切れ目
１００      パーゴラ（緑化構造体の一例）
１２０      支柱本体（柱の一例）
１５０      プランター（箱部材の一例）
２００      潅水装置
３００      植栽容器
４００      植栽容器
【図１】
2018191585.tif 000003
【図２】
2018191585.tif 000004
【図３】
2018191585.tif 000005
【図４】
2018191585.tif 000006
【図５】
2018191585.tif 000007
【図６】
2018191585.tif 000008
【図７】
2018191585.tif 000009
【図８】
2018191585.tif 000010